(57)【特許請求の範囲】
【請求項１】
洗浄の予約を受け付ける予約受付手段と、洗浄の予約を受け付けた場合、洗浄槽に洗浄水を給水する給水手段と、前記洗浄槽に給水された洗浄水を食器に対して噴射する噴射手段と、洗浄水中へ光を発する発光部及び該発光部からの光を受光する受光部を有する濁度センサとを備え、前記受光部が受光した光量に基づいて洗浄手順を決定し、決定した洗浄手順にて洗浄水の噴射を制御するようにしてある食器洗い機において、
前記予約受付手段にて洗浄の予約を受け付け、前記給水手段が洗浄水を給水したときに前記受光部が受光した第１光量、並びに予約された洗浄開始予定時間になり、前記噴射手段が洗浄水を噴射する前及び噴射した後に前記受光部が夫々受光した第２光量及び第３光量を取得する取得手段と、
該取得手段が取得した第２光量及び第３光量に基づいて洗浄時間を決定し、第１光量及び第３光量に基づいて濯ぎ回数を決定する決定手段と
を備えることを特徴とする食器洗い機。
【発明の詳細な説明】
【技術分野】
【０００１】
本発明は、洗浄槽に給水された洗浄水の汚れの程度を検知する濁度センサを備える食器洗い機に関する。
【背景技術】
【０００２】
図１３は、従来の食器洗い機の略示正面図である。食器洗い機は、食器Ａを収容する洗浄槽２を筐体１の内部に備えている。洗浄槽２の底部には、洗浄水を噴射する複数の回転可能な噴射ノズル４，４が配設されており、噴射ノズル４，４の上側には、食器Ａを載せる食器受具３が支持レールにて支持されている。また、食器洗い機は、噴射ノズル４，４に分配弁を介して加圧水を供給する洗浄ポンプ５、洗浄水を加熱するヒータ６、及び制御装置３０を備えている。
【０００３】
噴射ノズル４，４には、パイプからなる洗浄水循環路７の一端が接続されており、洗浄水循環路７の他端は洗浄槽２の底部に設けられた排水口８に接続されている。洗浄ポンプ５は、洗浄水循環路７の途中に設けられており、給水口９から給水された洗浄水を噴射ノズル４，４に供給する。洗浄水が供給された噴射ノズル４，４は、洗浄水を噴射する。噴射ノズル４，４から噴射された洗浄水は、排水口８及び洗浄水循環路７を経て、再び噴射ノズル４，４に供給され、洗浄槽内を循環する。
【０００４】
また、洗浄水循環路７における洗浄ポンプ５と排水口８との間には、洗浄水の汚れの程度を検知する濁度センサ１０が設けられている。濁度センサ１０は、洗浄水循環路７の内側で対向配置された発光部１１及び受光部１２を有している。発光部１１は、洗浄水中へ光を発し、受光部１２は洗浄水を透過した光を受光する。受光部１２が受光した光量は洗浄水の汚れの程度に応じて変化するため、制御装置３０は前記光量に基づいて、洗浄手順を変更するように構成されている（例えば、特許文献１）。
具体的には、洗浄水を噴射する前の光量を初期値とし、該光量と、洗浄水を一定時間噴射した後の光量とを比較することで、食器Ａの汚れの程度を評価することができ、制御装置３０は、食器Ａの汚れの程度に応じて洗浄時間又は濯ぎ回数を増減する。
【０００５】
また、食器洗い機は、タイマー予約機能を有しており、洗浄の予約を受け付けた時に洗浄水を給水し、予約時間が経過した場合、洗浄を開始するように構成されている。予約受付時に給水された洗浄水は、予約受付時から洗浄開始までの間に食器Ａの汚れが乾燥して固着することを防ぐために利用される。例えば、洗浄水を加熱して蒸気を発生させることで、食器Ａの汚れが乾燥して固着することを防ぐ。
【特許文献１】特開平７−５９７１８号公報
【発明の開示】
【発明が解決しようとする課題】
【０００６】
しかしながら、洗浄水を噴射する直前の光量を初期値とした場合、予約受付時から洗浄を開始するまでの間に何らかの原因で洗浄水が汚れることがあるにも関わらず、洗浄開始までの洗浄水の汚れが評価されないため、食器Ａを十分に洗浄することができない虞があった。
具体的には、食器Ａを濯ぐ洗浄水の汚れの程度が低く評価されるため、濯ぎ回数が少なくなり、食器Ａを十分に洗浄することができない。なお、食器Ａを濯ぐ洗浄水は、食器Ａに対して噴射した洗浄水を排水した後、新たに給水されたものであるが、食器Ａに対して噴射した後の洗浄水が洗浄槽内に若干残っているため、該洗浄水の汚れの程度が濯ぎ回数に影響する。
【０００７】
また、洗浄水を給水したときの光量を初期値とし、該光量と、洗浄水を噴射した後の光量とを比較するように構成した場合、噴射開始前の洗浄水の汚れと、食器Ａの汚れとが総合して評価されるため、食器Ａの汚れの程度に対する洗浄時間が長くなり、洗浄コストが高くなる虞があった。
【０００８】
本発明は、斯かる事情に鑑みてなされたものであり、洗浄水を給水したときに受光部が受光した第１光量、並びに洗浄水を噴射する前及び噴射した後に受光部が夫々受光した第２光量及び第３光量に基づいて、洗浄手順を決定するように構成することにより、洗浄水を噴射する前の洗浄水の汚れ及び食器の汚れを夫々評価することができ、洗浄水及び食器の汚れの程度に応じた洗浄手順にて食器を低コストで十分に洗浄することができる食器洗い機を提供することを目的とする。
【０００９】
本発明の他の目的は、第１光量、第２光量及び第３光量に基づいて、食器を洗浄する洗浄時間及び濯ぎ回数を決定するように構成することにより、洗浄水及び食器の汚れの程度に応じた洗浄時間及び濯ぎ回数を決定し、食器を低コストで十分に洗浄することができる食器洗い機を提供することにある。
【００１０】
本発明の他の目的は、第２光量及び第３光量の比に基づいて、洗浄時間を決定するように構成することにより、食器の汚れの程度に応じた洗浄時間にて食器を低コストで十分に洗浄することができる食器洗い機を提供することにある。
【００１１】
本発明の他の目的は、第１光量及び第３光量の比に基づいて、濯ぎ回数を決定するように構成することにより、洗浄水の噴射前における洗浄水の汚れの程度と、食器の汚れの程度とを総合して評価することができ、食器を濯ぐ洗浄水の汚れの程度に応じた濯ぎ回数を決定し、食器を低コストで十分に洗浄することができる食器洗い機を提供することにある。
【００１２】
本発明の他の目的は、洗浄水を給水したときから洗浄水が噴射されるまでの経過時間が所定時間より短い場合、第１及び第３光量を取得し、該第１及び第３光量に基づいて洗浄手順を決定するように構成することにより、噴射前に洗浄水が汚れる虞のない場合、第２光量を取得する無駄な処理を省略することができ、効率的に食器を洗浄することができる食器洗い機を提供することにある。
【００１３】
本発明の他の目的は、洗浄手順を受け付け、第１光量、第２光量及び第３光量に基づいて、受け付けた洗浄手順を変更するように構成することにより、使用者が選択した洗浄手順を、洗浄水及び食器の汚れの程度に応じて、変更することができる食器洗い機を提供することにある。
【課題を解決するための手段】
【００１４】
上記目的を達成するために本発明に係る食器洗い機は、洗浄の予約を受け付ける予約受付手段と、洗浄の予約を受け付けた場合、洗浄槽に洗浄水を給水する給水手段と、前記洗浄槽に給水された洗浄水を食器に対して噴射する噴射手段と、洗浄水中へ光を発する発光部及び該発光部からの光を受光する受光部を有する濁度センサとを備え、前記受光部が受光した光量に基づいて洗浄手順を決定し、決定した洗浄手順にて洗浄水の噴射を制御するようにしてある食器洗い機において、前記予約受付手段にて洗浄の予約を受け付け、前記給水手段が洗浄水を給水したときに前記受光部が受光した第１光量、並びに予約された洗浄開始予定時間になり、前記噴射手段が洗浄水を噴射する前及び噴射した後に前記受光部が夫々受光した第２光量及び第３光量を取得する取得手段と、該取得手段が取得した第２光量及び第３光量に基づいて洗浄時間を決定し、第１光量及び第３光量に基づいて濯ぎ回数を決定する決定手段とを備えることを特徴とする。
【００１９】
本発明に係る食器洗い機は、前記給水手段が洗浄水を給水したときから前記噴射手段が洗浄水を噴射するまでの経過時間を計時する計時手段を備え、前記取得手段は、前記計時手段が所定時間未満の経過時間を計時した場合、第１及び第３光量を取得するようにしてあり、前記決定手段は、第１光量及び第３光量に基づいて、洗浄手順を決定する手段を備えることを特徴とする。
【００２０】
本発明に係る食器洗い機は、洗浄手順を受け付ける受付手段と、第１光量、第２光量及び第３光量に基づいて、前記受付手段が受け付けた洗浄手順を変更する手段とを備えることを特徴とする。
【００２１】
本発明にあっては、取得手段が取得した第１光量は、洗浄槽に洗浄水を給水したときの洗浄水の汚れの程度を示しており、第２光量は、洗浄水を噴射する前の洗浄水の汚れの程度を示し、第３光量は、洗浄水を噴射した後の洗浄水の汚れの程度を示している。第１光量及び第２光量から、給水後、噴射を開始するまでに生じた洗浄水の汚れの程度を評価することができ、第２光量及び第３光量から、食器の汚れの程度を評価することができる。
従って、決定手段は、第１光量、第２光量及び第３光量に基づいて、噴射する前の洗浄水の汚れの程度及び食器の汚れの程度に応じた食器の洗浄手順を決定することができる。そして、決定された洗浄手順にて洗浄水の噴射が制御される。
なお、洗浄水を噴射する前の洗浄水の汚れは、例えば予約受付手段が洗浄の予約を受け付け、予約受付時に給水手段が洗浄水を給水した場合に問題になる。給水してから実際に洗浄が開始されるまでに相当の時間が経過するからである。
【００２２】
本発明にあっては、第１光量、第２光量及び第３光量によって洗浄水を噴射する前の洗浄水の汚れの程度と、食器の汚れの程度とを評価することができ、決定手段は前記洗浄水の汚れの程度と、食器の汚れの程度とに基づいて、洗浄時間及び濯ぎ回数を決定することができる。
【００２３】
本発明にあっては、決定手段が第２光量及び第３光量の比に基づいて、洗浄時間を決定する。前記比は、食器の汚れの程度を示しているため、食器を洗浄するために必要な洗浄時間を決定することができる。
【００２４】
本発明にあっては、決定手段が第１光量及び第３光量の比に基づいて、洗浄時間を決定する。第１光量及び第３光量の比は、噴射前の洗浄水の汚れの程度及び食器の汚れの程度を示している。従って、決定手段は、噴射前の洗浄水の汚れ及び食器の汚れを総合して、食器に噴射した後の洗浄水の汚れの程度を評価することができ、食器を洗浄するために必要な濯ぎ回数を決定することができる。
【００２５】
本発明にあっては、洗浄水を給水してから洗浄水の噴射を開始するまでに所定時間が経過していない場合、取得手段は第２光量を取得せず、決定手段は、第１光量及び第３光量に基づいて洗浄手順を決定する。所定時間の間に洗浄水が汚れることはないため、決定手段は第１光量及び第３光量のみで洗浄手順を決定することができる。また、第２光量を取得する無駄な処理を省略することができる。
【００２６】
本発明にあっては、受付手段が洗浄手順を受け付け、食器洗い機は、第１光量、第２光量及び第３光量に基づいて、受付手段が受け付けた洗浄手順を変更する。従って、洗浄水を噴射する前の洗浄水の汚れの程度と、食器の汚れの程度とに応じて、洗浄手順を変更することができる。
【発明の効果】
【００２７】
本発明にあっては、洗浄水を噴射する前の洗浄水の汚れ及び食器の汚れを夫々評価することができ、洗浄水及び食器の汚れの程度に応じた洗浄手順にて食器を低コストで十分に洗浄することができる。
【００２８】
本発明にあっては、洗浄水及び食器の汚れの程度に応じた洗浄時間及び濯ぎ回数を決定し、食器を低コストで十分に洗浄することができる。
【００２９】
本発明にあっては、食器の汚れの程度に応じた洗浄時間にて食器を低コストで十分に洗浄することができる。
【００３０】
本発明にあっては、洗浄水の噴射前における洗浄水の汚れの程度と、食器の汚れの程度とを総合して評価することができ、食器を濯ぐ洗浄水の汚れの程度に応じた濯ぎ回数を決定し、食器を低コストで十分に洗浄することができる。
【００３１】
本発明にあっては、噴射前に洗浄水が汚れる虞がない場合、第２光量を取得する無駄な処理を省略することができ、効率的に食器を洗浄することができる。
【００３２】
本発明にあっては、使用者が選択した洗浄手順を、洗浄水及び食器の汚れの程度に応じて、変更することができる。
【発明を実施するための最良の形態】
【００３３】
（実施の形態１）
以下、本発明をその実施の形態を示す図面に基づいて詳述する。
図１は本発明の実施の形態１に係る食器洗い機の略示側面図、図２は本発明の実施の形態１に係る食器洗い機の略示正面図、図３は本発明の実施の形態１に係る食器洗い機の略示平面図である。
【００３４】
食器洗い機は、食器を収納する洗浄槽２及び洗浄槽２に洗浄水を給水する給水管を筐体１の内部に設けており、洗浄槽２の内部には、食器に対して洗浄水を噴射する複数の回転可能な噴射ノズル４，４と、洗浄槽２に給水された洗浄水を加熱するヒータ６とが配設されている。給水管には、給水弁９０が設けられている。また、洗浄槽２と筐体１との間には、噴射ノズル４，４に図示しない分配弁を介して加圧水を供給する洗浄ポンプ５が配されている。
【００３５】
噴射ノズル４，４には、該洗浄槽２の底側に配された洗浄水循環路７の一端が接続されており、洗浄水循環路７の他端は洗浄槽２の底部に設けられた排水口８に接続されている。洗浄ポンプ５は、洗浄水循環路７の途中に設けてあり、給水口９から給水された洗浄水を噴射ノズル４，４に給水することで、洗浄水を噴射ノズル４，４から噴射させる。噴射ノズル４，４から噴射された洗浄水は、排水口８及び洗浄水循環路７を経て、再び噴射ノズル４，４に供給され、洗浄槽２内を循環する。
【００３６】
洗浄槽２内の底部には、洗浄槽２内を循環する洗浄水の汚れの程度を検知する濁度センサ１０が配されている。濁度センサ１０は、対向配置した発光部１１及び受光部１２を有している。発光部１１は、洗浄水中へ光を発し、受光部１２は、洗浄水を透過した発光部１１からの光を受光する。
【００３７】
洗浄槽２と筐体１との間には、濁度センサ１０の受光部１２が受光した光量を取得し、取得した光量に基づいて、洗浄手順を決定し、決定した洗浄手順にて、洗浄ポンプ５が備えるモータ、給水弁９０の開閉、洗浄水を加熱するヒータ６等を駆動制御する制御装置３０、及び予約用タイマー（計時手段）３７が配されている。
【００３８】
更に、筐体１の正面側には操作パネル１５及び表示部が配されている。操作パネル１５は、食器洗浄を開始させる「スタート」ボタン、食器の洗浄方法を選択するための「簡易モード」ボタン、「標準モード」ボタン、「じっくりモード」ボタン、「タイマー」ボタン等を有している。
【００３９】
図４は、制御装置３０の構成を示すブロック図である。
制御装置３０は、ＣＰＵ（中央処理装置）３１、ＲＯＭ３２、ＲＡＭ３３、時刻を計時するためのクロック３４及び入出力ポート３５等を備え、これらは互いに内部バス３６によって接続されている。入出力ポート３５には、濁度センサ１０、洗浄ポンプ５を駆動するモータ、洗浄水を加熱するヒータ６、操作パネル１５等が接続されている。
【００４０】
制御装置３０のＣＰＵ３１は、ＲＡＭ３３をワーキングエリアとして、ＲＯＭ３２に格納されたプログラムを実行することにより、食器洗浄を制御する。制御装置３０のＣＰＵ３１は、受光部１２が受光した光量、即ち洗浄水及び食器の汚れの程度に基づいて、モータ、ヒータ６等の駆動を制御する。
【００４１】
図５乃至図７は、食器の洗浄に係る制御装置３０の処理手順を示すフローチャートである。
【００４２】
制御装置３０は、「タイマー」ボタンが操作された場合、洗浄手順及び洗浄開始予定時間、即ち現時点から洗浄を開始するまでの時間を受け付ける（ステップＳ１１）。例えば、制御装置３０は、まず表示部に洗浄開始予定時間として１時間を表示し、タイマーボタンが１回操作される毎に洗浄開始予定時間に１時間を加算する。また、制御装置３０は、「簡易モード」ボタン、「標準モード」ボタン、「じっくりモード」ボタンの操作状態を検出することで、洗浄手順を受け付ける。そして、「スタート」ボタンが操作された場合、制御装置３０は、表示部に表示されている確定した洗浄開始予定時間を予約用タイマー３７に計時させる。予約用タイマー３７は、洗浄開始予定時間を計時した場合、洗浄開始信号を制御装置３０に与える。
【００４３】
次いで、制御装置３０は、給水弁９０を開放する（ステップＳ１２）。給水弁９０が開放された場合、洗浄槽２に洗浄水が給水される。
【００４４】
そして、制御装置３０は、洗浄槽２に給水された洗浄水の水位を検出し、洗浄水の水位が所定水位以上であるか否かを判定する（ステップＳ１３）。所定水位以上であると判定した場合（ステップＳ１３：ＹＥＳ）、制御装置３０は、給水弁９０を閉鎖する（ステップＳ１４）。所定水位未満であると判定した場合（ステップＳ１３：ＮＯ）、制御装置３０は、処理をステップＳ１３に戻す。
【００４５】
ステップＳ１４の処理を終えた場合、制御装置３０は、受光部１２が受光した第１光量Ｌ１を取得し、記憶する（ステップＳ１５）。そして、制御装置３０は、クロック３４にて計時を開始する（ステップＳ１６）。
【００４６】
次いで、制御装置３０は、洗浄開始信号が入力したか否かを判定する（ステップＳ１７）。洗浄開始信号が入力したと判定した場合（ステップＳ１７：ＹＥＳ）、制御装置３０は、運転開始処理を実行する（ステップＳ１８）。洗浄開始信号が入力していないと判定した場合（ステップＳ１７：ＮＯ）、制御装置３０は、処理をステップＳ１７に戻す。
【００４７】
ステップＳ１８の処理を終えた場合、制御装置３０は、給水後、所定時間が経過したか否かを判定する（ステップＳ１９）。所定時間が経過したと判定した場合（ステップＳ１９：ＹＥＳ）、制御装置３０は、洗浄ポンプ５を一時駆動することで、洗浄槽２内の洗浄水を攪拌する。（ステップＳ２０）。
【００４８】
次いで、制御装置３０は、受光部１２が受光した第２光量Ｌ２を取得し、記憶する（ステップＳ２１）。そして、制御装置３０は、第１光量Ｌ１を第２光量Ｌ２で除したＬａ＝Ｌ１／Ｌ２を算出し、算出したＬａを記憶する（ステップＳ２２）。Ｌａは、洗浄水を噴射する直前の洗浄水の汚れの程度を示している。
【００４９】
ステップＳ２２の処理を終えた場合、又はステップＳ１９で給水後、所定時間が経過していないと判定した場合（ステップＳ１９：ＮＯ）、制御装置３０は、洗浄ポンプ５を駆動し（ステップＳ２３）、クロック３４にて洗浄時間の計時を開始する（ステップＳ２４）。
【００５０】
そして、制御装置３０は、簡易洗浄時間、例えば５分を経過したか否かを判定する（ステップＳ２５）。簡易洗浄時間を経過したと判定した場合（ステップＳ２５：ＹＥＳ）、制御装置３０は、受光部１２が受光した第３光量Ｌ３を取得する（ステップＳ２６）。簡易洗浄時間を経過していないと判定した場合（ステップＳ２５：ＮＯ）、制御装置３０は処理をステップＳ２５へ戻す。
【００５１】
ステップＳ２６の処理を終えた場合、制御装置３０は、第２光量Ｌ２を記憶しているか否かを判定する（ステップＳ２７）。第２光量Ｌ２を記憶していると判定した場合（ステップＳ２７：ＹＥＳ）、制御装置３０は、第２光量Ｌ２を第３光量Ｌ３で除したＬｂ＝Ｌ２／Ｌ３を算出する（ステップＳ２８）。また、制御装置３０は、Ｌａ及びＬｂを乗算したＬｃ＝Ｌａ×Ｌｂを算出する（ステップＳ２９）。Ｌｂは、食器の汚れの程度を示し、Ｌｃは、洗浄水を食器に噴射した後の洗浄水の汚れの程度を示している。つまりＬｃは、食器の濯ぎ前の洗浄水の汚れの程度を示している。
【００５２】
第２光量Ｌ２を記憶していないと判定した場合（ステップＳ２７：ＮＯ）、制御装置３０は、第１光量Ｌ１を第３光量Ｌ３で除したＬｂ＝Ｌ１／Ｌ３を算出し（ステップＳ３０）、Ｌｃ＝Ｌｂを算出する（ステップＳ３１）。
ステップＳ３０及びステップＳ３１では、給水後、所定時間が経過していない場合、給水時の洗浄水の汚れの程度と、噴射直前の洗浄水の汚れの程度とは同程度であるため、第２光量Ｌ２に代えて、第１光量Ｌ１を用いて、Ｌｂ及びＬｃを評価する。
【００５３】
ステップＳ２９又はステップＳ３１の処理を終えた場合、制御装置３０は、洗浄時間の決定に係るサブルーチンを呼び出す（ステップＳ３２）。
【００５４】
図８は、洗浄時間の決定に係るサブルーチンの処理手順を示すフローチャートである。
洗浄時間の決定に係るサブルーチンを呼び出した場合、制御装置３０は、Ｌｂが５より大きいか否かを判定する（ステップＳ６１）。Ｌｂが５以下であると判定した場合（ステップＳ６１：ＮＯ）、制御装置３０は、決定洗浄時間を５分に設定し（ステップＳ６２）、サブルーチンの処理を終える。
【００５５】
Ｌｂが５より大きいと判定した場合（ステップＳ６１：ＹＥＳ）、制御装置３０は、Ｌｂが１０より大きいか否かを判定する（ステップＳ６３）。Ｌｂが１０以下であると判定した場合（ステップＳ６３：ＮＯ）、制御装置３０は、決定洗浄時間を１０分に設定し（ステップＳ６４）、サブルーチンの処理を終える。
【００５６】
Ｌｂが１０より大きいと判定した場合（ステップＳ６３：ＹＥＳ）、制御装置３０は、決定洗浄時間を１５分に設定し（ステップＳ６５）、サブルーチンの処理を終える。
【００５７】
図９は、Ｌｂの値と決定洗浄時間との対応関係を示す図表である。
洗浄時間の決定に係るサブルーチンによれば、Ｌｂの大きさ、つまり食器の汚れの程度に応じた洗浄時間が決定される。
具体的には、Ｌｂが０より大きく５以下である場合、決定洗浄時間は５分、Ｌｂが５より大きく１０以下である場合、決定洗浄時間は１０分、Ｌｂが１０より大きい場合、決定洗浄時間は１５分に設定される。
【００５８】
図６に示すように、ステップＳ３２の処理を終えた場合、制御装置３０は、濯ぎ回数の決定に係るサブルーチンを呼び出す（ステップＳ３３）。
【００５９】
図１０は、濯ぎ回数の決定に係るサブルーチンの処理手順を示すフローチャートである。
濯ぎ回数の決定に係るサブルーチンを呼び出した場合、制御装置３０は、Ｌｃが６より大きいか否かを判定する（ステップＳ７１）。Ｌｃが６以下であると判定した場合（ステップＳ７１：ＮＯ）、制御装置３０は、決定濯ぎ回数を３回に設定し（ステップＳ７２）、サブルーチンの処理を終える。
【００６０】
Ｌｃが６より大きいと判定した場合（ステップＳ７１：ＹＥＳ）、制御装置３０は、Ｌｃが１２より大きいか否かを判定する（ステップＳ７３）。Ｌｃが１２以下であると判定した場合（ステップＳ７３：ＮＯ）、制御装置３０は、決定濯ぎ回数を４回に設定し（ステップＳ７４）、サブルーチンの処理を終える。
【００６１】
Ｌｃが１２より大きいと判定した場合（ステップＳ７３：ＹＥＳ）、制御装置３０は、決定濯ぎ回数を５回に設定し（ステップＳ７５）、サブルーチンの処理を終える。
【００６２】
図１１は、Ｌｃの値と決定濯ぎ回数との対応関係を示す図表である。
濯ぎ回数の決定に係るサブルーチンによれば、Ｌｃの大きさ、つまり洗浄水の汚れの程度に応じた濯ぎ回数が決定される。
具体的には、Ｌｃが０より大きく６以下である場合、決定濯ぎ回数は３回、Ｌｃが６より大きく１２以下である場合、決定濯ぎ回数は４回、Ｌｃが１２より大きい場合、決定濯ぎ回数は５回に設定される。
【００６３】
図６及び図７に示すように、ステップＳ３３の処理を終えた場合、制御装置３０は、決定洗浄時間が経過したか否かを判定する（ステップＳ３４）。決定洗浄時間が経過したと判定した場合（ステップＳ３４：ＹＥＳ）、制御装置３０は、洗浄ポンプ５を停止する（ステップＳ３５）。決定洗浄時間が経過していないと判定した場合（ステップＳ３４：ＮＯ）、制御装置３０は、処理をステップＳ３４へ戻す。
【００６４】
ステップＳ３５の処理を終えた場合、制御装置３０は、洗浄水を排水する（ステップＳ３６）。そして、制御装置３０は、濯ぎ回数Ｎに１を設定し（ステップＳ３７）、濯ぎ工程を実行する（ステップＳ３８）。
【００６５】
次いで、制御装置３０は、濯ぎ回数Ｎが決定濯ぎ回数以上であるか否かを判定する（ステップＳ３９）。濯ぎ回数Ｎが決定濯ぎ回数未満であると判定した場合（ステップＳ３９：ＮＯ）、制御装置３０は、濯ぎ回数Ｎに１を加算し（ステップＳ４０）、処理をステップＳ３８へ戻す。
【００６６】
濯ぎ回数Ｎが決定濯ぎ回数以上であると判定した場合（ステップＳ３９：ＹＥＳ）、制御装置３０は、乾燥工程を実行し（ステップＳ４１）、洗浄に係る処理を終える。
【００６７】
このように構成された食器洗い機においては、洗浄水を噴射する前の洗浄水の汚れ及び食器の汚れを夫々評価することができ、洗浄水及び食器の汚れの程度に応じた洗浄時間及び濯ぎ回数を決定し、決定した洗浄時間及び濯ぎ回数にて食器を低コストで十分に洗浄することができる。
【００６８】
また、噴射前に洗浄水が汚れる虞がない場合、第２光量を取得する無駄な処理を省略することができ、効率的に食器を洗浄することができる。
【００６９】
更に、使用者が選択した洗浄手順を、洗浄水及び食器の汚れの程度に応じて、変更することができる。
【００７０】
また、Ｌｂと、閾値５，１０とを比較して、洗浄時間を決定するように構成しているが、食器を十分に洗浄できるのであれば閾値は、他の数値であっても良い。
【００７１】
更に、Ｌｃと、閾値６，１２とを比較して、濯ぎ回数を決定するように構成しているが、食器を十分に濯ぐことができるのであれば閾値は、他の数値であっても良い。
【００７２】
更にまた、第１光量、第２光量及び第３光量を用いて、洗浄時間、濯ぎ回数を決定するように構成しているが、第１光量、第２光量及び第３光量を用いて、洗浄水の温度、洗浄回数、濯ぎ時間等を決定するように構成しても良い。
【００７３】
更にまた、給水時からの経過時間に応じて、第２光量を取得するか否かを選択するように構成してあるが、給水時の洗浄水と、洗浄水を噴射する直前の洗浄水とを比較した場合に汚れの程度に変化の虞がある場合、例えば本洗浄開始前に、ミスト工程、プレ洗浄工程を実行する場合、第２光量を取得するように構成しても良い。
【００７４】
更にまた、２つの噴射ノズルから洗浄水を噴射する場合を説明したが、一の噴射ノズルから洗浄水を噴射する場合、各噴射ノズルから交互に洗浄水を噴射する場合に本発明を適用しても良い。
【００７５】
（実施の形態２）
図１２は、実施の形態２における洗浄時間の決定に係るサブルーチンの処理手順を示すフローチャートである。
実施の形態２に係る食器洗い機は、洗浄時間の決定に係るサブルーチンの処理手順のみが実施の形態１に係る食器洗い機と異なるため、以下では主に上記相違点について説明する。
【００７６】
洗浄時間の決定に係るサブルーチンを呼び出した場合、制御装置３０は、Ｌｂが５より大きいか否かを判定する（ステップＳ８１）。Ｌｂが５以下であると判定した場合（ステップＳ８１：ＮＯ）、制御装置３０は、ステップＳ１１で受け付けた洗浄手順、特に洗浄時間が５分より長いか否かを判定する（ステップＳ８２）。受け付けた洗浄時間が５分以下であると判定した場合（ステップＳ８２：ＮＯ）、制御装置３０は、決定洗浄時間を５分に設定する（ステップＳ８３）。ステップＳ８３の処理を終えた場合、又は受け付けた洗浄時間が５分より長いと判定した場合（ステップＳ８２：ＹＥＳ）、制御装置３０はサブルーチンの処理を終える。
【００７７】
Ｌｂが５より大きいと判定した場合（ステップＳ８１：ＹＥＳ）、制御装置３０は、Ｌｂが１０より大きいか否かを判定する（ステップＳ８４）。Ｌｂが１０以下であると判定した場合（ステップＳ８４：ＮＯ）、制御装置３０は、ステップＳ１１で受け付けた洗浄時間が１０分より長いか否かを判定する（ステップＳ８５）。受け付けた洗浄時間が１０分以下であると判定した場合（ステップＳ８５：ＮＯ）、制御装置３０は、決定洗浄時間を１０分に設定する（ステップＳ８６）。ステップＳ８６の処理を終えた場合、又は受け付けた洗浄時間が１０分より長いと判定した場合（ステップＳ８５：ＹＥＳ）、制御装置３０はサブルーチンの処理を終える。
【００７８】
Ｌｂが１０より大きいと判定した場合（ステップＳ８４：ＹＥＳ）、制御装置３０は、決定洗浄時間を１５分に設定し（ステップＳ８７）、サブルーチンの処理を終える。
【００７９】
実施の形態２に係る食器洗い機にあっては、食器の汚れの程度に対してステップＳ１１で受け付けた洗浄時間が足りない場合のみ、洗浄時間を変更する。つまり、ステップＳ１１で受け付けた洗浄時間が食器及び洗浄水の汚れの程度に対して長すぎる場合であっても、食器洗い機の使用者が念入りに洗浄することを欲しているときがあるため、このような場合には洗浄時間を短縮せず、洗浄時間が足りない場合のみ、洗浄時間を延長する。
従って、使用者の求めに応じて的確に洗浄時間を変更することができる。
【００８０】
実施の形態２に係る食器洗い機の他の構成、作用及び効果は、実施の形態１に係る食器洗い機の構成、作用及び効果と同様であるため、対応する箇所には同様の符号を付して詳細な説明を省略する。
【図面の簡単な説明】
【００８１】
【図１】本発明の実施の形態１に係る食器洗い機の略示側面図である。
【図２】本発明の実施の形態１に係る食器洗い機の略示正面図である。
【図３】本発明の実施の形態１に係る食器洗い機の略示平面図である。
【図４】制御装置の構成を示すブロック図である。
【図５】食器の洗浄に係る制御装置の処理手順を示すフローチャートである。
【図６】食器の洗浄に係る制御装置の処理手順を示すフローチャートである。
【図７】食器の洗浄に係る制御装置の処理手順を示すフローチャートである。
【図８】洗浄時間の決定に係るサブルーチンの処理手順を示すフローチャートである。
【図９】Ｌｂの値と決定洗浄時間との対応関係を示す図表である。
【図１０】濯ぎ回数の決定に係るサブルーチンの処理手順を示すフローチャートである。
【図１１】Ｌｃの値と決定濯ぎ回数との対応関係を示す図表である。
【図１２】実施の形態２における洗浄時間の決定に係るサブルーチンの処理手順を示すフローチャートである。
【図１３】従来の食器洗い機の略示正面図である。
【符号の説明】
【００８２】
１  筐体
２  洗浄槽
４，４  噴射ノズル
５  洗浄ポンプ
６  ヒータ
７  洗浄水循環路
８  排水口
９  給水口
１０  濁度センサ
１１  発光部
１２  受光部
１５  操作パネル
３０  制御装置
３１  ＣＰＵ
３２  ＲＯＭ
３３  ＲＡＭ
３４  クロック
３５  入出力ポート
３６  内部バス
３７  予約用タイマー
９０  給水弁
【図１】
0004707575.tif 000002
【図２】
0004707575.tif 000003
【図３】
0004707575.tif 000004
【図４】
0004707575.tif 000005
【図５】
0004707575.tif 000006
【図６】
0004707575.tif 000007
【図７】
0004707575.tif 000008
【図８】
0004707575.tif 000009
【図９】
0004707575.tif 000010
【図１０】
0004707575.tif 000011
【図１１】
0004707575.tif 000012
【図１２】
0004707575.tif 000013
【図１３】
0004707575.tif 000014